(57)【要約】      （修正有）【課題】単位板の範囲よりも広い損傷に対して、損傷を受けた箇所だけを最小範囲で補修することができる建築物のフローリング用床材の部分補修方法を提供する。【解決手段】補修用床部材を、第１の補修用床部材と、第２の補修用床部材とで構成し、第１の補修用床部材の外形を、補修対象エリアの外形よりも小さく形成し、第１の補修用床部材を、補修対象エリアに配設する工程では、第１の補修用床部材の外周と、補修対象エリアの周囲に位置するフローリング用床材との間には全周に渡って間隙を持たせ、配設後に、間隙にコーキング剤を充填するコーキング充填工程を有し、第２の補修用床部材を、第１の補修用床部材の上に配設する工程では、第２の補修用床部材の端部を、補修対象エリアの周囲に位置するフローリング用床材に当接させ、第２の補修用床部材が間隙の上面を覆い、間隙では、第２の補修用床部材の下面をコーキング剤に当接させる。【選択図】図１
2012062729.tif 000002
【特許請求の範囲】
【請求項１】
コンクリートなどからなる既設床面の上にフローリング用床材が配設されており、前記フローリング用床材が緩衝材と合板と化粧板とを前記既設床面側から順に積層して構成され、前記フローリング用床材の一部を除去して補修対象エリアを形成し、前記補修対象エリアに新たな補修用床部材を配設する建築物のフローリング用床材の部分補修方法であって、
前記補修用床部材を、補修用緩衝部材と補修用合板とが積層された第１の補修用床部材と、前記補修用合板の上に配設されて化粧面を形成する第２の補修用床部材とで構成し、
前記第１の補修用床部材の外形を、前記補修対象エリアの外形よりも小さく形成し、
前記第１の補修用床部材を、前記補修対象エリアに配設する工程では、前記第１の補修用床部材の外周と、前記補修対象エリアの周囲に位置する前記フローリング用床材との間には全周に渡って間隙を持たせ、
前記第１の補修用床部材を前記補修対象エリアに配設した後に、前記間隙にコーキング剤を充填するコーキング充填工程を有し、
前記第２の補修用床部材を、前記第１の補修用床部材の上に配設する工程では、前記第２の補修用床部材の端部を、前記補修対象エリアの周囲に位置する前記フローリング用床材に当接させることで、前記第２の補修用床部材が前記間隙の上面を覆い、
前記間隙では、前記第２の補修用床部材の下面を前記コーキング剤に当接させることを特徴とする建築物のフローリング用床材の部分補修方法。
【請求項２】
前記第１の補修用床部材を、複数の部材で構成し、
前記第１の補修用床部材を、前記補修対象エリアに配設する工程では、前記第１の補修用床部材の部材間には部材間間隙を持たせ、
前記コーキング充填工程では、前記部材間間隙にも前記コーキング剤を充填し、
前記第２の補修用床部材を、前記第１の補修用床部材の上に配設する工程では、前記第２の補修用床部材が前記部材間間隙の上面を覆い、
前記部材間間隙では、前記第２の補修用床部材の下面を前記コーキング剤に当接させることを特徴とする請求項１に記載の建築物のフローリング用床材の部分補修方法。
【請求項３】
前記補修対象エリア内の前記既設床面の凹部に充填剤を埋め込む第１の平坦化処理と、前記第１の平坦化処理を行った前記既設床面に研磨加工を施す第２の平坦化処理とを行い、前記第２の平坦化処理を行った前記既設床面に接着プライマーを塗布し、
前記接着プライマーを塗布した前記既設床面に、両面接着シートを用いて前記第１の補修用床部材を接着することを特徴とする請求項１又は請求項２に記載の建築物のフローリング用床材の部分補修方法。
【請求項４】
前記第２の平坦化処理を行った後、又は前記接着プライマーの塗布の後に、前記第１の補修用床部材を前記補修対象エリアに仮配設する高さ調整工程を有し、
前記高さ調整工程では、前記第１の補修用床部材の外周と、前記補修対象エリアの周囲に位置する前記フローリング用床材との高さ寸法差を計測し、前記高さ寸法差が一定となるように高さ調整材を前記第１の補修用床部材と前記既設床面との間に仮配置することを特徴とする請求項３に記載の建築物のフローリング用床材の部分補修方法。
【請求項５】
既設の前記フローリング用床材が、複数の標準床部材を組み合わせて構成され、それぞれの前記標準床部材が複数の化粧板、又は視覚的に区分された疑似継ぎ目を有する化粧板で構成されている場合に、
前記補修対象エリアを、前記標準床部材間の継ぎ目にかかわらず、前記化粧板同士の継ぎ目、又は前記疑似継ぎ目によって決定することを特徴とする請求項１から請求項４に記載の建築物のフローリング用床材の部分補修方法。
【発明の詳細な説明】
【技術分野】
【０００１】
本発明は、住宅などの建築物のフローリング用床材の一部を補修する建築物のフローリング用床材の部分補修方法に関する。
【背景技術】
【０００２】
現在の住宅では、例えば特許文献１や特許文献２に開示されているようなフローリング床が多く採用されている。
多くのフローリング床は、平面視で長方形状をした単位板を複数敷設して構成される。この単位板は、合板の一方の面には化粧板を、合板の他方の面には緩衝材を備え、周縁面には実部が形成されている。そして単位板同士は、この実部が嵌めあわされて敷設される。
また、このような単位板には、特許文献３に開示されているような切り込み溝を複数形成したものもある。複数の切り込み溝を形成することで、単位板に荷重が加わった場合に適度に変形させ、単位板同士の接合部への荷重集中を防ぎ、例えば床鳴りなどを防止することができる。
なお、複数の単位板を施工前にあらかじめ連結した標準床部材も多く採用されており、施工現場では標準床部材を単位とした敷設が行われるが、この場合にも、標準床部材の周縁面には実部が形成され、標準床部材同士は、この実部が嵌めあわされて敷設される。
このようなフローリング床を、施工後に補修しなければならない場合も多く、補修用の構造や補修方法が提案されている（特許文献３〜特許文献５）。
ところで、単位板同士を密着させない構成が提案されている。
特許文献６では、単位板の側面を傾斜させることで、単位板同士の下部に空隙を形成させているが、この空隙は、床材の補修を容易にすることを目的としている。
また、特許文献７では、単位板同士の上部に空隙を形成させているが、この空隙は施工後に湿潤に起因する部材の伸びに対応させることを目的としている。
一方、特許文献８では、単位板同士の接合部に樹脂を流し込むことが提案され、床鳴り防止のために、単位板同士の接合部に、軟質合成樹脂材料からなる摺接緩和材を配設し、又はα―シアノアクリルレート系接着剤を充填していたことが開示されている。
他方、特許文献９では、リフォーム用のフローリングシートが提案されている。
【先行技術文献】
【特許文献】
【０００３】
【特許文献１】実開平６−５１３７５号公報
【特許文献２】特開２０００−３２０１０９号公報
【特許文献３】特開２００３−２８６７６９号公報
【特許文献４】特開２００８−５０７５７号公報
【特許文献５】特開２００１−１５９２４７号公報
【特許文献６】特開２００６−３７５６６号公報
【特許文献７】特開２００２−３４９０４７号公報
【特許文献８】特開２００５−２５６４９６号公報
【特許文献９】特開２００１−３５５３３１号公報
【発明の概要】
【発明が解決しようとする課題】
【０００４】
特許文献３は、床材の下面には合成樹脂被覆層を設け、床下地材には樹脂コーティング層を設け、床材と床下地材とを両面粘着テープで接着することで施工するものである。
特許文献３によれば、床材の張り替え時に剥離が容易となり、床材や床下地材を損傷させることなく張り替え作業ができる。
しかし、特許文献３では、特許文献３とは異なる構成のフローリング床の補修に適用できるものではない。
これに対して特許文献４では、特許文献１や特許文献２で開示されているような一般的なフローリング床に適用できるリフォーム用床材を提案している。
しかし、特許文献４は、単位板の単位で補修を行うもので、複数の単位板に跨る損傷に対応できるものではない。
特許文献５では、単位板の単位で張り替える場合の不都合に着目し、単位板の一部分に切削凹部を形成し、この切削凹部に嵌着させる補修用ピースを提案している。
【０００５】
そこで本発明は、単位板の範囲よりも広い損傷に対して、損傷を受けた箇所だけを最小範囲で補修することができる建築物のフローリング用床材の部分補修方法を提供することを目的とする。
【課題を解決するための手段】
【０００６】
請求項１記載の本発明の建築物のフローリング用床材の部分補修方法は、コンクリートなどからなる既設床面の上にフローリング用床材が配設されており、前記フローリング用床材が緩衝材と合板と化粧板とを前記既設床面側から順に積層して構成され、前記フローリング用床材の一部を除去して補修対象エリアを形成し、前記補修対象エリアに新たな補修用床部材を配設する建築物のフローリング用床材の部分補修方法であって、前記補修用床部材を、補修用緩衝部材と補修用合板とが積層された第１の補修用床部材と、前記補修用合板の上に配設されて化粧面を形成する第２の補修用床部材とで構成し、前記第１の補修用床部材の外形を、前記補修対象エリアの外形よりも小さく形成し、前記第１の補修用床部材を、前記補修対象エリアに配設する工程では、前記第１の補修用床部材の外周と、前記補修対象エリアの周囲に位置する前記フローリング用床材との間には全周に渡って間隙を持たせ、前記第１の補修用床部材を前記補修対象エリアに配設した後に、前記間隙にコーキング剤を充填するコーキング充填工程を有し、前記第２の補修用床部材を、前記第１の補修用床部材の上に配設する工程では、前記第２の補修用床部材の端部を、前記補修対象エリアの周囲に位置する前記フローリング用床材に当接させることで、前記第２の補修用床部材が前記間隙の上面を覆い、前記間隙では、前記第２の補修用床部材の下面を前記コーキング剤に当接させることを特徴とする。
請求項２記載の本発明は、請求項１に記載の建築物のフローリング用床材の部分補修方法において、前記第１の補修用床部材を、複数の部材で構成し、前記第１の補修用床部材を、前記補修対象エリアに配設する工程では、前記第１の補修用床部材の部材間には部材間間隙を持たせ、前記コーキング充填工程では、前記部材間間隙にも前記コーキング剤を充填し、前記第２の補修用床部材を、前記第１の補修用床部材の上に配設する工程では、前記第２の補修用床部材が前記部材間間隙の上面を覆い、前記部材間間隙では、前記第２の補修用床部材の下面を前記コーキング剤に当接させることを特徴とする。
請求項３記載の本発明は、請求項１又は請求項２に記載の建築物のフローリング用床材の部分補修方法において、前記補修対象エリア内の前記既設床面の凹部に充填剤を埋め込む第１の平坦化処理と、前記第１の平坦化処理を行った前記既設床面に研磨加工を施す第２の平坦化処理とを行い、前記第２の平坦化処理を行った前記既設床面に接着プライマーを塗布し、前記接着プライマーを塗布した前記既設床面に、両面接着シートを用いて前記第１の補修用床部材を接着することを特徴とする。
請求項４記載の本発明は、請求項３に記載の建築物のフローリング用床材の部分補修方法において、前記第２の平坦化処理を行った後、又は前記接着プライマーの塗布の後に、前記第１の補修用床部材を前記補修対象エリアに仮配設する高さ調整工程を有し、前記高さ調整工程では、前記第１の補修用床部材の外周と、前記補修対象エリアの周囲に位置する前記フローリング用床材との高さ寸法差を計測し、前記高さ寸法差が一定となるように高さ調整材を前記第１の補修用床部材と前記既設床面との間に仮配置することを特徴とする。
請求項５記載の本発明は、請求項１から請求項４に記載の建築物のフローリング用床材の部分補修方法において、既設の前記フローリング用床材が、複数の標準床部材を組み合わせて構成され、それぞれの前記標準床部材が複数の化粧板、又は視覚的に区分された疑似継ぎ目を有する化粧板で構成されている場合に、前記補修対象エリアを、前記標準床部材間の継ぎ目にかかわらず、前記化粧板同士の継ぎ目、又は前記疑似継ぎ目によって決定することを特徴とする。
【発明の効果】
【０００７】
本発明によれば、新たに配設する第１の補修用床部材と、既設のフローリング用床材との間は、コーキング剤によって適度に接合が保たれるとともに、新たに配設する第１の補修用床部材と、既設のフローリング用床材との材料の違いなどによる弾性変形の違いもコーキング剤によって吸収するため、使用時に段差が生じることはなく、床鳴りも生じない。また、第２の補修用床部材はフローリング用床材に当接させているため、補修箇所周辺で間隙は無く、第２の補修用床部材の下面はコーキング剤に当接させているため、第１の補修用床部材が無くても第２の補修用床部材は沈み込むことはなく、またコーキング剤の粘着性によって浮き上がりも発生しない。
【図面の簡単な説明】
【０００８】
【図１】部分補修前の建築物のフローリング用床材を示す要部斜視図
【図２】本発明の一実施例による建築物のフローリング用床材の部分補修方法における補修対象エリアを示す要部斜視図
【図３】本発明の一実施例による建築物のフローリング用床材の部分補修方法における補修対象エリアの形成工程を示す要部斜視図
【図４】本発明の一実施例による建築物のフローリング用床材の部分補修方法における補修対象エリア内のフローリング用床材を除去した後の平坦化処理を示す要部斜視図
【図５】本発明の一実施例による建築物のフローリング用床材の部分補修方法における補修対象エリアの型取り工程を示す要部斜視図
【図６】本発明の一実施例による建築物のフローリング用床材の部分補修方法における高さ調整工程を示す要部平面図
【図７】本発明の一実施例による建築物のフローリング用床材の部分補修方法における第２の補修用床部材の製作工程を示す平面図
【図８】本発明の一実施例による建築物のフローリング用床材の部分補修方法における敷設工程を示す平面図
【図９】本発明の他の実施例による建築物のフローリング用床材の部分補修方法における敷設工程を示す平面図
【発明を実施するための形態】
【０００９】
本発明の第１の実施の形態による建築物のフローリング用床材の部分補修方法は、補修用床部材を、補修用緩衝部材と補修用合板とが積層された第１の補修用床部材と、補修用合板の上に配設されて化粧面を形成する第２の補修用床部材とで構成し、第１の補修用床部材の外形を、補修対象エリアの外形よりも小さく形成し、第１の補修用床部材を、補修対象エリアに配設する工程では、第１の補修用床部材の外周と、補修対象エリアの周囲に位置するフローリング用床材との間には全周に渡って間隙を持たせ、第１の補修用床部材を補修対象エリアに配設した後に、間隙にコーキング剤を充填するコーキング充填工程を有し、第２の補修用床部材を、第１の補修用床部材の上に配設する工程では、第２の補修用床部材の端部を、補修対象エリアの周囲に位置するフローリング用床材に当接させることで、第２の補修用床部材が間隙の上面を覆い、間隙では、第２の補修用床部材の下面をコーキング剤に当接させたものである。本実施の形態によれば、第１の補修用床部材の外周と、補修対象エリアの周囲に位置するフローリング用床材との間には、全周に渡って間隙が形成され、この間隙にはコーキング剤が充填されているため、新たに配設する第１の補修用床部材と、既設のフローリング用床材との間は適度に接合が保たれるとともに、新たに配設する第１の補修用床部材と、既設のフローリング用床材との材料の違いなどによる弾性変形の違いも吸収するため、使用時に段差が生じることはなく、床鳴りも生じない。また、第２の補修用床部材はフローリング用床材に当接させているため、補修箇所周辺で間隙は無く、第２の補修用床部材の下面はコーキング剤に当接させているため、第１の補修用床部材が無くても第２の補修用床部材は沈み込むことはなく、またコーキング剤の粘着性によって浮き上がりも発生しない。
本発明の第２の実施の形態は、第１の実施の形態による建築物のフローリング用床材の部分補修方法において、第１の補修用床部材を、複数の部材で構成し、第１の補修用床部材を、補修対象エリアに配設する工程では、第１の補修用床部材の部材間には部材間間隙を持たせ、コーキング充填工程では、部材間間隙にもコーキング剤を充填し、第２の補修用床部材を、第１の補修用床部材の上に配設する工程では、第２の補修用床部材が部材間間隙の上面を覆い、部材間間隙では、第２の補修用床部材の下面をコーキング剤に当接させるものである。本実施の形態によれば、特に補修対象エリアが大きな場合には、第１の補修用床部材を、複数の部材で構成することで、運搬や現場施工性を向上させることができ、このように複数部材に分割した場合であっても、部材間には間隙が形成され、この間隙にはコーキング剤が充填されているため、部材間は適度に接合が保たれるとともに、不均一な荷重による弾性変形の違いも吸収するため、使用時に段差が生じることはなく、床鳴りも生じない。また、第２の補修用床部材の下面はコーキング剤に当接させているため、第１の補修用床部材が無くても第２の補修用床部材は沈み込むことはなく、またコーキング剤の粘着性によって浮き上がりも発生しない。
本発明の第３の実施の形態は、第１又は第２の実施の形態による建築物のフローリング用床材の部分補修方法において、補修対象エリア内の既設床面の凹部に充填剤を埋め込む第１の平坦化処理と、第１の平坦化処理を行った既設床面に研磨加工を施す第２の平坦化処理とを行い、第２の平坦化処理を行った既設床面に接着プライマーを塗布し、接着プライマーを塗布した既設床面に、両面接着シートを用いて第１の補修用床部材を接着するものである。本実施の形態によれば、補修対象エリア内の既設床面の平坦化処理を行うことで微妙な高さ調整を正確に行うことができ、接着プライマーの塗布によって平坦化処理で発生する粉体による接着性能の低下を防ぐことができ、両面接着シートによる接着を確実に強固に行うことができる。また、両面接着シートを用いることで、液状接着剤を用いる場合と比較して高さに影響しないために、微妙な高さ調整を行え、段差の無い部分補修を行うことができる。
本発明の第４の実施の形態は、第３の実施の形態による建築物のフローリング用床材の部分補修方法において、第２の平坦化処理を行った後、又は接着プライマーの塗布の後に、第１の補修用床部材を補修対象エリアに仮配設する高さ調整工程を有し、高さ調整工程では、第１の補修用床部材の外周と、補修対象エリアの周囲に位置するフローリング用床材との高さ寸法差を計測し、高さ寸法差が一定となるように高さ調整材を第１の補修用床部材と既設床面との間に仮配置するものである。本実施の形態によれば、現場毎で相違する経年変化による影響にも対応でき、微妙な高さ調整を正確に行うことができる。
本発明の第５の実施の形態は、第１から第４の実施の形態による建築物のフローリング用床材の部分補修方法において、既設のフローリング用床材が、複数の標準床部材を組み合わせて構成され、それぞれの標準床部材が複数の合板で構成され、標準床部材が複数の化粧板、又は視覚的に区分された疑似継ぎ目を有する化粧板で構成されている場合に、補修対象エリアを、標準床部材間の継ぎ目にかかわらず、化粧板同士の継ぎ目、又は疑似継ぎ目によって決定するものである。本実施の形態によれば、傷んだ箇所だけを、最小範囲で補修することができるため、施工性に優れるとともに安価に補修を行うことができる。
【実施例】
【００１０】
以下本発明の一実施例による建築物のフローリング用床材の部分補修方法について説明する。
図１は部分補修前の建築物のフローリング用床材を示す要部斜視図である。
コンクリートなどからなる既設床面１０の上にフローリング用床材が配設されており、フローリング用床材は、緩衝材１１と合板１２と化粧板１３とを既設床面１０側から順に積層した構造となっている。
図において、化粧板１３ａは、１枚の合板１２に張り合わされており、表面に疑似継ぎ目１４ａを形成することで視覚的には２つの平板で化粧板１３ａが構成されているように見える。化粧板１３ｂ、１３ｃ、１３ｄについても同様である。
化粧板１３ａが張り合わされた合板１２と、化粧板１３ｂが張り合わされた合板１２とは、一つの部材からなる緩衝材１１で接合されて標準床部材が構成されている。化粧板１３ｃが張り合わされた合板１２と、化粧板１３ｄが張り合わされた合板１２についても同様である。
そして、化粧板１３ａ及び化粧板１３ｂを有する標準床部材と、化粧板１３ｃ及び化粧板１３ｄを有する標準床部材とは、施工現場で組み合わされる。標準床部材の側面には、実１５が形成され、標準床部材同士は、この実１５を嵌めあわせることで接合される。
図１では、痛み部１７は、化粧板１３ｂ及び化粧板１３ｃに発生していることを示している。
【００１１】
図２は本発明の一実施例による建築物のフローリング用床材の部分補修方法における補修対象エリアを示す要部斜視図である。
図２では、補修対象エリア１８を、エリア１８ａ、エリア１８ｂ、エリア１８ｃとしている。ここで、エリア１８ａは、化粧板１３ｂ全てではなく、疑似継ぎ目１４ａで区分される化粧板１３ｂの片側だけである。なお、エリア１８ｂ及びエリア１８ｃは、化粧板１３ｃに対応している。
化粧板１３ａ及び化粧板１３ｂによって一つの標準床部材が構成されているが、補修対象エリア１８は、化粧板１３ａ及び化粧板１３ｂを有する標準床部材単位ではなく、化粧板１３ａと化粧板１３ｂとの継ぎ目１４ｂで区切り、化粧板１３ｂを補修対象エリア１８とするとともに、化粧板１３ｂの疑似継ぎ目１４ａで区切ってエリア１８ａを補修対象エリア１８としている。
また、化粧板１３ｃ及び化粧板１３ｄによって一つの標準床部材が構成されているが、補修対象エリア１８は、化粧板１３ｃ及び化粧板１３ｄを有する標準床部材単位ではなく、化粧板１３ｃと化粧板１３ｄとの継ぎ目１４ｂで区切ってエリア１８ｂ、エリア１８ｃを補修対象エリア１８としている。
このように本実施例によれば、標準床部材間の継ぎ目にかかわらず、化粧板１３同士の継ぎ目１４ｂ、又は疑似継ぎ目１４ａによって補修対象エリア１８を決定することで、傷んだ箇所だけを、最小範囲で補修することができるため、施工性に優れるとともに安価に補修を行うことができる。
【００１２】
図３は本発明の一実施例による建築物のフローリング用床材の部分補修方法における補修対象エリアの形成工程を示す要部斜視図である。
補修対象エリア１８の周囲に位置するフローリング用床材には、補修対象エリア１８を塞がないようにテープ１９が貼られる。そして、テープ１９の内周側となる補修対象エリア１８をカッターで切断する。
カッターで補修対象エリア１８の周囲に切れ込みを入れた後に、ノミを用いて補修対象エリア１８内のフローリング用床材を除去する。
【００１３】
図４は本発明の一実施例による建築物のフローリング用床材の部分補修方法における補修対象エリア内のフローリング用床材を除去した後の平坦化処理を示す要部斜視図である。
図４（ａ）（ｃ）は、補修対象エリア１８内のフローリング用床材を除去した状態を示している。この状態では、同図（ｃ）に示すように、補修対象エリア１８内の既設床面１０には、大小多数の凹部が発生している。なお、図４（ｂ）はフローリング用床材を除去する前の状態を示している。
図４（ｄ）は、第１の平坦化処理によって、既設床面１０に発生している凹部に充填剤２０を埋め込んだ状態を示している。
充填材２０で凹部を埋めた後に、サンドペーパーなどを用いて第２の平坦化処理として研磨加工を施す。そして、第２の平坦化処理を行った既設床面１０に接着プライマーを塗布する。
【００１４】
図５は本発明の一実施例による建築物のフローリング用床材の部分補修方法における補修対象エリアの型取り工程を示す要部斜視図である。なお、型取り工程は、図３で説明した補修対象エリアの形成工程の後であればよく、図４で説明した平坦化処理を行った後でなくてもよい。
補修対象エリア１８を覆うように型取り紙２１を配置し、補修対象エリア１８と同一形状の型２１ａを製作する。
第１の補修用床部材３０は、あらかじめ所定の大きさに緩衝材１１と合板１２とを積層した標準補修用床部材３１から、型２１ａを用いて製作される。ただし、第１の補修用床部材３０は、型２１ａの大きさ、すなわち補修対象エリア１８の外形よりも小さくしている。
従って、図６に示すように、第１の補修用床部材３０は、補修対象エリア１８に配設した状態では、第１の補修用床部材３０の外周には、２ｍｍ〜３ｍｍの間隙４０を形成している。
【００１５】
図６は本発明の一実施例による建築物のフローリング用床材の部分補修方法における高さ調整工程を示す要部平面図である。
高さ調整工程は、第２の平坦化処理を行った後、又は接着プライマーの塗布の後に行う。
高さ調整工程では、第１の補修用床部材３０を補修対象エリア１８に仮配設する。仮配設の場合にも、間隙４０が均等に形成されるように第１の補修用床部材３０を配設する。そして、第１の補修用床部材３０の外周と、補修対象エリア１８の周囲に位置するフローリング用床材との高さ寸法差（同図（ｂ）におけるａ１、ｂ１）を計測し、一定の高さ寸法差（同図（ｃ）におけるａ２、ｂ２）となるように高さ調整材５０を第１の補修用床部材３０と既設床面１０との間に仮配置する。
【００１６】
図７は本発明の一実施例による建築物のフローリング用床材の部分補修方法における第２の補修用床部材の製作工程を示す斜視図である。
同図において、（ａ）は化粧シート６１を、（ｂ）は化粧基材６２を示し、（ｃ）は化粧シート６１を化粧基材６２に貼り合わせて製作した第２の補修用床部材６０の表面を、（ｄ）は同裏面を示している。
化粧シート６１は、裏面に粘着剤を有しており、化粧基材６２の平面寸法より大きなものが用いられる。第２の補修用床部材６０は、化粧シート６１によって化粧基材６２の表面を全て覆うとともに、化粧基材６２の側面で折り曲げられ、化粧基材６２の裏面の周囲面にも貼り付けられることで構成されている。
このように、化粧シート６１を化粧基材６２の裏面にわたって貼り付けることで、第２の補修用床部材６０の敷設後に、化粧シート６１が剥がれることを防止することができる。
ここで第２の補修用床部材６０は、エリア１８ａ、１８ｂ、１８ｃに対応してそれぞれ製作され、それぞれの第２の補修用床部材６０の大きさもエリア１８ａ、１８ｂ、１８ｃと同じ外形寸法で製作される。
なお、本実施例では、化粧シート６１によって化粧基材６２の表面を全て覆うことで第２の補修用床部材６０を構成しているが、第２の補修用床部材６０は、無垢材料に塗料を塗って化粧面を形成したものでもよい。
【００１７】
図８は本発明の一実施例による建築物のフローリング用床材の部分補修方法における敷設工程を示す平面図である。
まず、同図（ａ）に示すように、高さ調整材５０を既設床面１０に配置して接着する。ここで高さ調整材５０と既設床面１０との接着には両面粘着シートを用いることが好ましく、高さ調整部材５０の裏面にあらかじめ両面粘着シートを貼付しておく。
次に、同図（ｂ）に示すように、第１の補修用床部材３０を既設床面１０に配置して接着する。ここで第１の補修用床部材３０と既設床面１０との接着には両面粘着シートを用いることが好ましく、第１の補修用床部材３０の裏面にあらかじめ両面粘着シートを貼付しておく。
また、この段階で第１の補修用床部材３０の表面の外縁に沿ってテープ１９を貼付しておくことが好ましい。
第１の補修用床部材３０を補修対象エリア１８に貼付した状態では、第１の補修用床部材３０の外周に間隙４０が形成されており、この間隙４０にコーキング剤７０を充填する。
ここで、コーキング剤７０としては、柔軟性と接着性の両者を併せ持つようなシリコンコーキング剤が適しており、その他のコーキング剤としては、１液型ウレタン樹脂系充填剤、アクリル樹脂系エマルジョン形充填剤、１液速硬化型変成シリコーン樹脂系充填剤を用いることができる。
同図（ｃ）では、間隙４０にコーキング剤７０が充填されている状態を示している。
同図（ｄ）では、フローリング用床材及び第１の補修用床部材３０に貼付していたテープ１９を剥がした状態を示している。間隙４０からはみ出したコーキング剤７０は、テープ１９とともに取り除かれる。
同図（ｅ）では、両面粘着シートを用いて第１の補修用床部材３０の表面に、第２の補修用床部材６０を貼付する。このとき、第２の補修用床部材６０を、第１の補修用床部材３０の上に配設する工程では、第２の補修用床部材６０の端部を、補修対象エリア１８の周囲に位置するフローリング用床材に当接させることで、第２の補修用床部材６０が間隙４０の上面を覆い、間隙４０では、第２の補修用床部材６０の下面をコーキング剤７０に当接させている。
【００１８】
本実施例によれば、接着プライマーを塗布した既設床面１０に、両面接着シートを用いて第１の補修用床部材３０を接着することで、液状接着剤を用いる場合と比較して高さに影響しないために、微妙な高さ調整を行え、段差の無い部分補修を行うことができる。
また本実施例によれば、第１の補修用床部材３０の外周と、補修対象エリア１８の周囲に位置するフローリング用床材との間には、全周に渡って間隙４０が形成され、この間隙４０にはコーキング剤７０が充填されているため、新たに配設する第１の補修用床部材３０と、既設のフローリング用床材との間は適度に接合が保たれるとともに、新たに配設する第１の補修用床部材３０と、既設のフローリング用床材との材料の違いなどによる弾性変形の違いも吸収するため、使用時に段差が生じることはなく、床鳴りも生じない。
また、本実施例によれば、第２の補修用床部材６０はフローリング用床材に当接させているため、補修箇所周辺で間隙は無く、第２の補修用床部材６０の下面はコーキング剤７０に当接させているため、第１の補修用床部材３０が無くても第２の補修用床部材６０は沈み込むことはなく、またコーキング剤７０の粘着性によって浮き上がりも発生しない。
【００１９】
図９は本発明の他の実施例による建築物のフローリング用床材の部分補修方法における敷設工程を示す平面図である。
前記実施例では、第１の補修用床部材３０を一つの部材として説明したが、本実施例では第１の補修用床部材３０を２つの部材３１、３２で構成したものであり、２つの部材３１、３２を敷設する場合に、２つの部材３１、３２間に部材間間隙４１を持たせている。なお、他の工程や部材については前記実施例と同じであるために説明を省略する。
本実施例において、第１の補修用床部材３０を、補修対象エリア１８に配設する工程では、第１の補修用床部材３０の部材３１、３２間には部材間間隙４１を持たせ、その後のコーキング充填工程では、部材間間隙４１にもコーキング剤を充填し、第２の補修用床部材６０を、第１の補修用床部材３０の上に配設する工程では、第２の補修用床部材６０が部材間間隙４１の上面を覆い、部材間間隙４１では、第２の補修用床部材６０の下面をコーキング剤に当接させる。
本実施例によれば、特に補修対象エリア１８が大きな場合には、第１の補修用床部材３０を、複数の部材３１、３２で構成することで、運搬や現場施工性を向上させることができ、このように複数の部材３１、３２に分割した場合であっても、部材間間隙４１を形成し、この部材間間隙４１にもコーキング剤が充填されているため、部材３１、３２間は適度に接合が保たれるとともに、不均一な荷重による弾性変形の違いも吸収するため、使用時に段差が生じることはなく、床鳴りも生じない。また、第２の補修用床部材６０の下面はコーキング剤に当接させているため、第１の補修用床部材３０が無くても第２の補修用床部材６０は沈み込むことはなく、またコーキング剤の粘着性によって浮き上がりも発生しない。
【産業上の利用可能性】
【００２０】
本発明は、住宅におけるフローリング用床材の一部を補修する場合の他、その他の建築物におけるフローリング用床材の一部の補修に適用できる。
【符号の説明】
【００２１】
１８  補修対象エリア
２０  充填材
３０  第１の補修用床部材
４０  間隙
４１  部材間間隙
５０  高さ調整材
６０  第２の補修用床部材
【図１】
2012062729.tif 000003
【図２】
2012062729.tif 000004
【図３】
2012062729.tif 000005
【図４】
2012062729.tif 000006
【図５】
2012062729.tif 000007
【図６】
2012062729.tif 000008
【図７】
2012062729.tif 000009
【図８】
2012062729.tif 000010
【図９】
2012062729.tif 000011